(57)【要約】【課題】  巾止め部分が外に露出せず、施工が容易で、しかも、簡素でしっかりとした止付け状態を形成することができる打込み型枠の巾止め構造を提供する。【解決手段】  打込み型枠３の設置されるベース面５ａ上に巾止め用の差込み凸１０が備えられ、打込み型枠３の下面部の厚さ方向中間部に差込み凹８が設けられ、打込み型枠３が凸１０と凹８とを差込み状態にして設置されている。差込み凸１０は、金属板加工品からなる下部巾止め金物６に備えられ、下部巾止め金物６はその底板部９をベース面５ａ上に沿わせるように設置されて止め付けられ、下部巾止め金物６の底板部９は外方延出部９ａによって打込み型枠３の前後方向において板状差込み凸１０の両側に突出している。【選択図】      図１
2005105623.tif 000002
【特許請求の範囲】
【請求項１】
打込み型枠の設置されるベース面上に巾止め用の差込み凸が備えられる共に、打込み型枠の下面部の厚さ方向中間部に差込み凹が設けられ、打込み型枠が前記凸と凹とを差込み状態にして設置されていることを特徴とする打込み型枠の巾止め構造。
【請求項２】
底板部と立ち上がり板部とを備え、立ち上がり板部を前記巾止め用の差込み凸とした金属板加工品からなる下部巾止め金物が、その底板部をベース面上に沿わせるように設置されて止め付けられ、
前記差込み凹は、打込み型枠の厚さ方向と直交する方向を向くスリット形凹からなり、
該スリット形差込み凹に下部巾止め金物の板状差込み凸が差し込まれて打込み型枠が巾止め状態にされており、かつ、
底板部が打込み型枠の前後方向において板状差込み凸の両側に突出している請求項１に記載の打込み型枠の巾止め構造。
【発明の詳細な説明】
【技術分野】
【０００１】
本発明は、打込み型枠の巾止め構造に関する。
【背景技術】
【０００２】
打込み型枠は、コンクリートの打込み後に撤去されずにそのまま使用されることから、金物による打込み型枠の巾止めは、金物が外に露出しないようにしなければならないのはもとより、施工が容易で、しかも、簡素でしっかりとした止付け状態となるようなものでなければならない。
【発明の開示】
【発明が解決しようとする課題】
【０００３】
本発明は、このような要請に基づいてなされたものであって、巾止め部分が外に露出せず、施工が容易で、しかも、簡素でしっかりとした止付け状態を形成することができる打込み型枠の巾止め構造を提供することを課題とする。
【課題を解決するための手段】
【０００４】
上記の課題は、打込み型枠の設置されるベース面上に巾止め用の差込み凸が備えられる共に、打込み型枠の下面部の厚さ方向中間部に差込み凹が設けられ、打込み型枠が前記凸と凹とを差込み状態にして設置されていることを特徴とする打込み型枠の巾止め構造によって解決される。
【０００５】
この巾止め構造では、打込み型枠が、その下面部の厚さ方向中間部に設けられた差込み凹にベース面側の差込み凸が差し込まれて巾止めされている構造であるから、巾止めのための差込み凹はもとより、差込み凸も差込み凹の内部に差し込まれて隠されて外に露出せず、そのため、コンクリート打込み後の打込み型枠の下端側の外観をスッキリとしたものにすることができる。
【０００６】
しかも、コンクリートの打込み前の段階から差込み凸も差込み凹も隠れて外に露出しないので、コンクリートの打込み後にこれらの隠蔽処理を行う必要がなく、施工が容易にである。
【０００７】
もちろん、打込み型枠は、その下面部に設けられている差込み凹内にベース面側の差込み凸が差し込まれるように設置していくだけでよいから、コンクリート打込み前の打込み型枠設置の及び打込み型枠下端部の巾止めのための施工を容易に行っていくことができる。
【０００８】
加えて、打込み型枠の下面部の厚さ方向中間部に設けられた差込み凹にベース面側の差込み凸を差し込んで巾止めをする構造であるから、ベース面側にこの差込み凹に差し込まれる凸が備えられているだけでよく、ベース面側に要求される巾止めのための構造を簡素なものにすることができる。
【０００９】
更に、差込み凸が差込み凹に差し込まれた状態になるだけで、打込み型枠の下端部は少なくとも前後方向において巾止め状態となり、凸と凹との簡素な差込み構造によって打込み型枠の下端部をしっかりとした巾止め状態にすることができる。
【００１０】
上記の構造において、底板部と立ち上がり板部とを備え、立ち上がり板部を前記巾止め用の差込み凸とした金属板加工品からなる下部巾止め金物が、その底板部をベース面上に沿わせるように設置されて止め付けられ、
前記差込み凹は、打込み型枠の厚さ方向と直交する方向を向くスリット形凹からなり、
該スリット形差込み凹に下部巾止め金物の板状差込み凸が差し込まれて打込み型枠が巾止め状態にされており、かつ、
底板部が打込み型枠の前後方向において板状差込み凸の両側に突出しているとよい。
【００１１】
この構造では、下部巾止め金物の差込み凸が板状をしているが、この板状差込み凸は、打込み型枠の厚さ方向と直交する方向を向くスリット形凹に差し込まれているので、板状差込み凸の立ち上がり高さ寸法が小さくても、スリット形凹内での打込み型枠との係合作用によってしっかりとした巾止め状態を形成することができる。
【００１２】
しかも、下部巾止め金物の差込み凸が板状をしていることで、打込み型枠の下面側の差込み凹も上記のようにスリット状の差込み凹でよく、そのため、打込み型枠の下端部における厚さ寸法は小さくてもよい。
【００１３】
加えて、打込み型枠の下面とベース面との間に挟み込まれる下部巾止め金物の底部は板状をしているので、該金物の底部が外に露出して目立つこともなく、打込み型枠をスッキリとした外観にすることができる。
【００１４】
更に、下部巾止め金物は、その底板部が打込み型枠の前後方向において板状差込み凸の両側に突出しているので、ベース面から立ち上がる板状の差込み凸を安定の良いしっかりとした立ち上がり状態にすることができる。
【発明の効果】
【００１５】
本発明は、以上のとおりのものであるから、巾止め部分が外に露出せず、施工が容易で、しかも、簡素でしっかりとした止付け状態を形成することができる。
【発明を実施するための最良の形態】
【００１６】
次に、本発明の実施最良形態を図面に基づいて説明する。
【００１７】
図１〜図４に示す実施形態は、図４（イ）に示すように、逆スラブ基礎１のコンクリート立ち上がり部２を成形する場合の打込み型枠の巾止め構造についてのもので、３，４は内外の打込み型枠、５ａはベース面であり、ベース面５ａは捨てコンクリート５の上面である。内外の打込み型枠３，４は、ベース面５ａ上に所定の間隔をおいて設置され、下部巾止め金物６と上部巾止め金物７との協働で巾止め状態に設置されている。そのなかで、本発明の巾止め構造は、屋外側に面して設置される打込み外型枠３の下端部の巾止めに用いられている。
【００１８】
打込み外型枠３の下端部の巾止めのため、本実施形態では、打込み外型枠３は、図２（ロ）（ハ）に示すように、その下面部の厚さ方向の中間部に、打込み外型枠３の厚さ方向と直交する方向を向くスリット形の差込み凹８が設けられている。なお、打込み外型枠３は、例えば、ＧＲＣ板などからなっている。
【００１９】
一方、下部巾止め金物６は、打込み外型枠３の下端部の巾止めのみならず、打込み内型枠４の下端部の巾止めをも行うようになされたもので、金属板加工品からなっていて、図１及び図２（イ）に示すように、内外の打込み型枠３，４間を延びる底板部９を備え、打込み外型枠３の側の端部に差込み凸としての立ち上がり板部１０が備えられている。該板状差込み凸１０は左右に二つ備えられ、中央部には底板部９の外方延出部９ａが備えられ、この外方延出部９ａによって、下部巾止め金物６の底板部９が打込み外型枠３の前後方向において板状差込み凸１０の両側に突出するようになされている。
【００２０】
なお、下部巾止め金物６の、打込み内型枠４の側の端部には、打込み内型枠４の下端部を前後方向から挟み込む内外の板状挟込み凸１１，１１が備えられ、該板状挟込み凸１１，１１間に打込み内型枠４の下端部を差し込むことにより、打込み内型枠４の下端部が巾止めされるようになされている。板状挟込み凸１１は、巾止め強度上、打込み外型枠３の側の板状差込み凸１０よりも背高につくられている。１２は鉄筋受けである。
【００２１】
内外の打込み型枠３，４の設置は、図１に示すように、まず、捨てコンクリート５の上面ベース面５ａに下部巾止め金物６を設置し、該下部巾止め金物６をピン１３で捨てコンクリート５に止める。次いで、打込み外型枠３を、下部巾止め金物６の差込み凸１０が下面部の差込み凹８に差し込まれるようにベース面５ａ上に設置すると共に、打込み内型枠４を、その下端部が下部巾止め金物６の挟込み凸１１，１１間に差し込まれるようにベース面５ａ上に設置し、抜止めのため側方からピン１３，１３を打つ。そして、内外の打込み型枠３，４の上端部を上部巾止め金物７で連結する。
【００２２】
こうして設置された内外の打込み型枠３，４において、図３に示すように、屋外側から見た打込み外型枠３の下端部は、下部巾止め金物６の底板部９の延出部９ａの先端部がわずかに見えることがあるだけで、下部巾止め金物６の巾止め機能部分１０の露出のないスッキリとした外観をしている。あとは、鉄筋１４やアンカーボルト１５等を設置した状態で、コンクリート１６の打込みを行えばよい。
【００２３】
上記の打込み外型枠３の下端部における巾止め構造では、巾止めのための差込み凹８はもとより、差込み凸１０も差込み凹８の内部に差し込まれて隠されて外に露出せず、そのため、コンクリート１６の打込み後の打込み外型枠３の下端側の外観をスッキリとしたものにすることができ、しかも、コンクリート１６の打込み後に差込み機能部分１０を隠す隠蔽処理を行う必要もなく、施工が容易である。
【００２４】
また、打込み外型枠３は、その下面部に設けられている差込み凹８内にベース面５ａ側の差込み凸１０が差し込まれるように設置していくだけでよいから、コンクリート打込み前の打込み外型枠３の設置及び打込み外型枠３の下端部の巾止めのための施工を容易に行っていくことができる。
【００２５】
特に、下部巾止め金物６は、底板部９がその延出部９ａによって打込み外型枠３の前後方向において板状差込み凸１０の両側に突出しているので、ベース面５ａから立ち上がる板状の差込み凸１０を安定の良いしっかりとした立ち上がり状態にすることができ、その面からも、コンクリート打込み前の打込み外型枠３の設置及び打込み外型枠３の下端部の巾止めのための施工を容易に行っていくことができる。
【００２６】
更に、打込み外型枠３の側において、下部巾止め金物６には、打込み外型枠３の下面部の差込み凹８に差し込まれる差込み凸１０を備えさせるだけでよいので、ベース面５ａ側、即ち下部巾止め金物６に要求される巾止めのための構造を簡素なものにすることができると共に、差込み凸１０が差込み凹８に差し込まれた状態になるだけで打込み外型枠３の下端部が前後方向において巾止め状態となるので、凸と凹との簡素な差込み構造によって打込み外型枠３の下端部をしっかりとした巾止め状態にすることができる。
【００２７】
特に、下部巾止め金物６の差込み凸１０は板状をしており、打込み外型枠３の厚さ方向と直交する方向を向くスリット形凹に差し込まれて巾止めをするので、板状差込み凸１０の立ち上がり高さ寸法が小さくても、スリット形差込み凹８内での打込み外型枠との係合作用によってしっかりとした巾止め状態を形成することができる。
【００２８】
また、下部巾止め金物の差込み凸１０が板状をしていることで、打込み外型枠３の下面側の差込み凹８も上記のようにスリット状の差込み凹８でよく、そのため、打込み外型枠３の下端部における厚さ寸法は小さくてもよい。
【００２９】
以上に、本発明の実施形態を示したが、本発明はこれに限られるものではなく、発明思想を逸脱しない範囲で各種の変更が可能である。例えば、上記の実施形態では、下部巾止め金物６の差込み凸１０が板状のものからなっている場合を示したが、差込み凸１０は板状のものでなくてもよい。また、上記の実施形態では、コンクリート打込み空間を形成する両側の打込み型枠３，４の下端部を一つの下部巾止め金物６で巾止めする場合を示しているが、一方の打込み型枠の下端部を巾止めする金物と、もう一方の打込み型枠の下端部を巾止めする金物とに分けられていてもよく、その場合に、一方の金物に本発明における差込み凸が備えられた構造であってもよい。また、打込み型枠３，４の上端部や高さ方向中間部における巾止めは各種巾止め構造で行われてよい。
【００３０】
更に、逆スラブ基礎１の立ち上がり部のコンクリートを打ち込む場合の内外の打込み型枠３，４のうちの打込み外型枠３の巾止めに用いた場合を示しているが、その他各種の基礎、あるいは、基礎に限らず、各種コンクリート構造物用の打込み型枠の下部の巾止めに広く用いることができるものである。また、コンクリート打込み空間が一方の側の打込み型枠でのみ形成できるような場合に、その打込み型枠の下端部の巾止め構造として本発明を用いることもできる。
【図面の簡単な説明】
【００３１】
【図１】実施形態の巾止め構造を示す分解側面図である。
【図２】図（イ）は下部巾止め金物を示す斜視図、図（ロ）は内外の打込み型枠の斜視図、図（ハ）は同打込み型枠の下端部を斜め下から見た斜視図である。
【図３】下部巾止め設置状態の打込み型枠を示す斜視図である。
【図４】図（イ）は同巾止め構造を用いた逆スラブ基礎の断面側面図、図（ロ）はその要部拡大断面側面図である。
【符号の説明】
【００３２】
３…打込み外型枠（打込み型枠）
５ａ…ベース面
６…下部巾止め金物
８…差込み凹
９…底板部
９ａ…外方延出部
１０…差込み凸
１６…コンクリート
【図１】
2005105623.tif 000003
【図２】
2005105623.tif 000004
【図３】
2005105623.tif 000005
【図４】
2005105623.tif 000006